(57)【要約】【課題】ユーザを希望時刻に快適に起床させるだけでなく、ユーザが心地よく眠りにつくことができる照明器具を提供する。【解決手段】照明器具１０は、設置面と反対の方向に光を発する直接光発光部４０と、設置面に沿う方向に光を発する間接光発光部３０ａおよび３０ｂと、（１）指定された時刻からの所定期間である第１期間において直接光発光部４０を消灯させた状態で間接光発光部３０ａおよび３０ｂを発光させ、第１期間の直後に直接光発光部４０を消灯させた状態で間接光発光部３０ａおよび３０ｂが発する光の輝度を第１期間内に間接光発光部３０ａおよび３０ｂが発する輝度よりも低下させる制御である就寝制御、および、（２）ユーザの起床希望時刻までの所定期間である第２期間において少なくとも直接光発光部４０を発光させる制御である起床制御を実行する制御部５０とを備える。【選択図】図６
2015041612.tif 000002
【特許請求の範囲】
【請求項１】
設置面に取付けられる照明器具であって、
前記設置面と反対の方向に光を発する直接光発光部と、
前記設置面に沿う方向に光を発する間接光発光部と、
（１）指定された時刻からの所定期間である第１期間において前記直接光発光部を消灯させた状態で前記間接光発光部を発光させ、前記第１期間の直後に前記直接光発光部を消灯させた状態で前記間接光発光部が発する光の輝度を前記第１期間内に前記間接光発光部が発する光の輝度よりも低下させる制御である就寝制御、および、（２）ユーザの起床希望時刻までの所定期間である第２期間において少なくとも前記直接光発光部を発光させる制御である起床制御を実行する制御部とを備える
照明器具。
【請求項２】
前記間接光発光部が発する光の色温度は、前記直接光発光部が発する光の色温度よりも低い
請求項１に記載の照明器具。
【請求項３】
前記間接光発光部が発する光の色温度は、２５００Ｋ以下である
請求項１または２に記載の照明器具。
【請求項４】
前記制御部は、前記第１期間の長さを変更して前記就寝制御を実行し、前記第１期間が長いほど、前記第２期間を長い期間に変更して前記起床制御を実行する
請求項１〜３のいずれか１項に記載の照明器具。
【請求項５】
前記制御部は、さらに、前記就寝制御において、前記間接光発光部の調光比を制御し、
前記第１期間内の任意の時刻における前記間接光発光部の調光比は、前記第１期間内の当該任意の時刻よりも後の時刻における前記間接光発光部の調光比以上である
請求項１〜４のいずれか１項に記載の照明器具。
【請求項６】
前記制御部は、さらに、前記起床制御において、前記直接光発光部の調光比を制御し、
前記第２期間内の任意の時刻における前記直接光発光部の調光比は、前記第２期間内の当該任意の時刻よりも後の時刻における前記直接光発光部の調光比以下である
請求項１〜５のいずれか１項に記載の照明器具。
【請求項７】
前記制御部は、さらに、前記起床制御において、前記第２期間に前記間接光発光部を発光させる
請求項１〜６のいずれか１項に記載の照明器具。
【請求項８】
前記起床制御において、前記制御部は、さらに、前記第２期間の直前の所定期間である第３期間に前記直接光発光部を消灯させた状態で前記間接光発光部を発光させる
請求項１〜６のいずれか１項に記載の照明器具。
【請求項９】
前記制御部は、前記第１期間の直後に前記間接光発光部を消灯させる
請求項１〜８のいずれか１項に記載の照明器具。
【請求項１０】
前記間接光発光部には、前記設置面に沿った第１方向に光を発する第１の間接光発光部と、前記第１方向と反対の方向である第２方向に光を発する第２の間接光発光部とが含まれる
請求項１〜９のいずれか１項に記載の照明器具。
【請求項１１】
前記照明器具は、前記ユーザの寝室において用いられる
請求項１〜１０のいずれか１項に記載の照明器具。
【請求項１２】
設置面に取付けられ、前記設置面と反対の方向に光を発する直接光発光部と、前記設置面に沿う方向に光を発する間接光発光部とを備える照明器具が行う照明方法であって、
指定された時刻からの所定期間である第１期間において前記直接光発光部を消灯させた状態で前記間接光発光部を発光させ、前記第１期間の直後に前記直接光発光部を消灯させた状態で前記間接光発光部が発する光の輝度を前記第１期間内に前記間接光発光部が発する光の輝度よりも低下させる就寝制御ステップと、
ユーザの起床希望時刻までの所定期間である第２期間において少なくとも前記直接光発光部を発光させる起床制御ステップとを含む
照明方法。
【発明の詳細な説明】
【技術分野】
【０００１】
本発明は、照明器具および照明方法に関し、特に、就寝時および起床時に有用な照明器具および照明方法に関するものである。
【背景技術】
【０００２】
従来、ユーザを希望の時刻に快適に起床させるために、当該希望の時刻よりも前の時刻から漸増光の照射を開始する技術が知られている（例えば、特許文献１参照）。
【先行技術文献】
【特許文献】
【０００３】
【特許文献１】特許第３５５０７８４号公報
【特許文献２】特許第５０３２７４９号公報
【発明の概要】
【発明が解決しようとする課題】
【０００４】
ところで、ユーザの快適な生活をサポートするためには、ユーザが心地よく眠りにつくことができる制御が可能な照明器具が望まれる。
【０００５】
そこで、本発明は、ユーザを希望時刻に快適に起床させるだけでなく、ユーザが心地よく眠りにつくことができる照明器具等を提供する。
【課題を解決するための手段】
【０００６】
本発明の一態様に係る照明器具は、設置面に取付けられる照明器具であって、前記設置面と反対の方向に光を発する直接光発光部と、前記設置面に沿う方向に光を発する間接光発光部と、（１）指定された時刻からの所定期間である第１期間において前記直接光発光部を消灯させた状態で前記間接光発光部を発光させ、前記第１期間の直後に前記直接光発光部を消灯させた状態で前記間接光発光部が発する光の輝度を前記第１期間内に前記間接光発光部が発する光の輝度よりも低下させる制御である就寝制御、および、（２）ユーザの起床希望時刻までの所定期間である第２期間において少なくとも前記直接光発光部を発光させる制御である起床制御を実行する制御部とを備える。
【０００７】
また、例えば、前記間接光発光部が発する光の色温度は、前記直接光発光部が発する光の色温度よりも低くてもよい。
【０００８】
また、例えば、前記間接光発光部が発する光の色温度は、２５００Ｋ以下であってもよい。
【０００９】
また、例えば、前記制御部は、前記第１期間の長さを変更して前記就寝制御を実行し、前記第１期間が長いほど、前記第２期間を長い期間に変更して前記起床制御を実行してもよい。
【００１０】
また、例えば、前記制御部は、さらに、前記就寝制御において、前記間接光発光部の調光比を制御し、前記第１期間内の任意の時刻における前記間接光発光部の調光比は、前記第１期間内の当該任意の時刻よりも後の時刻における前記間接光発光部の調光比以上であってもよい。
【００１１】
また、例えば、前記制御部は、さらに、前記起床制御において、前記直接光発光部の調光比を制御し、前記第２期間内の任意の時刻における前記直接光発光部の調光比は、前記第２期間内の当該任意の時刻よりも後の時刻における前記直接光発光部の調光比以下であってもよい。
【００１２】
また、例えば、前記制御部は、さらに、前記起床制御において、前記第２期間に前記間接光発光部を発光させてもよい。
【００１３】
また、例えば、前記起床制御において、前記制御部は、さらに、前記第２期間の直前の所定期間である第３期間に前記直接光発光部を消灯させた状態で前記間接光発光部を発光させてもよい。
【００１４】
また、例えば、前記制御部は、前記第１期間の直後に前記間接光発光部を消灯させてもよい。
【００１５】
また、例えば、前記間接光発光部には、前記設置面に沿った第１方向に光を発する第１の間接光発光部と、前記第１方向と反対の方向である第２方向に光を発する第２の間接光発光部とが含まれてもよい。
【００１６】
また、例えば、前記照明器具は、前記ユーザの寝室において用いられてもよい。
【００１７】
本発明の一態様に係る照明方法は、設置面に取付けられ、前記設置面と反対の方向に光を発する直接光発光部と、前記設置面に沿う方向に光を発する間接光発光部とを備える照明器具が行う照明方法であって、指定された時刻からの所定期間である第１期間において前記直接光発光部を消灯させた状態で前記間接光発光部を発光させ、前記第１期間の直後に前記直接光発光部を消灯させた状態で前記間接光発光部が発する光の輝度を前記第１期間内に前記間接光発光部が発する光の輝度よりも低下させる就寝制御ステップと、ユーザの起床希望時刻までの所定期間である第２期間において少なくとも前記直接光発光部を発光させる起床制御ステップとを含む。
【発明の効果】
【００１８】
本発明によれば、ユーザは、希望時刻に快適に起床できるだけでなく、心地よく眠りにつくことができる。
【図面の簡単な説明】
【００１９】
【図１】図１は、実施の形態１に係る照明器具の動作の概要を示す図である。
【図２】図２は、実施の形態１に係る照明器具の分解斜視図である。
【図３】図３は、間接光発光部の構成を示す図である。
【図４】図４は、間接光発光部の配置を示す図である。
【図５】図５は、実施の形態１に係る照明器具の取り付け位置を説明するための図である。
【図６】図６は、実施の形態１に係る照明器具のシステム構成を示すブロック図である。
【図７】図７は、就寝制御および起床制御の制御パターンを示す図である。
【図８】図８は、実施の形態１に係る照明器具の就寝制御の動作のフローチャートである。
【図９】図９は、実施の形態１に係る照明器具が発する間接光のユーザへの心理的影響を説明するための図である。
【図１０】図１０は、実施の形態１に係る照明器具の起床制御の動作のフローチャートである。
【図１１】図１１は、就寝制御における制御パターンの別の例を示す第１の図である。
【図１２】図１２は、就寝制御における制御パターンの別の例を示す第２の図である。
【図１３】図１３は、起床制御における制御パターンの別の例を示す第１の図である。
【図１４】図１４は、起床制御における制御パターンの別の例を示す第２の図である。
【発明を実施するための形態】
【００２０】
以下、本発明の実施の形態について、図面を参照しながら具体的に説明する。なお、各図は、模式図であり、必ずしも厳密に図示したものではない。
【００２１】
なお、以下で説明する実施の形態は、いずれも包括的または具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００２２】
（実施の形態１）
まず、実施の形態１に係る照明器具の動作の概要について説明する。図１は、実施の形態１に係る照明器具の動作の概要を示す図である。図１の（ａ）は、ユーザの就寝時の照明器具の発光状態を示す模式図であり、図１の（ｂ）は、ユーザの起床時の照明器具の発光状態を示す模式図である。
【００２３】
図１に示される照明器具１０は、天井面（設置面）に取付けられる照明器具であって、前記天井面と反対の方向に光を発する直接光発光部と、天井面に沿う方向に光を発する間接光発光部とを備える。ここで、直接光発光部とは、室内照明用途の光源であって、部屋全体を明るくする光源である。これに対し、間接光発光部とは、天井面および壁面を照らす光源であって、特に就寝前の時間帯等に使用される光源である。
【００２４】
図１の（ａ）に示されるように、照明器具１０は、ユーザ２００の就寝時には、ユーザ２００のリモートコントローラ７０への入力を契機に就寝制御（就寝モード）を行う。就寝制御では、照明器具１０は、指定された時刻からの所定期間において直接光発光部および間接光発光部の２種類の発光部のうち間接光発光部のみを発光させる。そして、照明器具１０は、上記所定期間の直後に間接光発光部を消灯させる（または、間接光発光部が発する光の輝度を上記所定期間内の輝度よりも低下させる）。
【００２５】
このような照明器具１０の就寝制御により、ユーザは、リラックスした状態で心地よく眠りにつくことができる。
【００２６】
一方、図１の（ｂ）に示されるように、照明器具１０は、ユーザ２００の起床時には、ユーザ２００が予め設定した起床希望時刻までの所定期間に少なくとも直接光発光部を発光させる起床制御（起床モード）を行う。
【００２７】
このような照明器具１０の起床制御により、ユーザは、快適に起床することができる。
【００２８】
次に、照明器具１０の構成について詳細に説明する。図２は、照明器具１０の分解斜視図である。
【００２９】
図２に示されるように、照明器具１０は、カバー３１と、フレーム３２と、器具本体２０と、間接光発光部３０ａおよび３０ｂと、直接光発光部４０と、制御部５０と、レンズ６０と、グローブ６５とを備える。また、図２には、照明器具１０の点灯または消灯を制御するためのリモートコントローラ７０も図示されている。なお、図２では、間接光発光部３０ｂの図示は省略されている。
【００３０】
照明器具１０は、天井面に取り付けられて主に下方（天井面の反対側）を照らす照明器具である。
【００３１】
器具本体２０は、上面（取り付け面）が天井面に対向した状態で天井面に取り付けられる円板状の部材であり、例えば、厚みの薄いダイカスト部材等である。器具本体２０には、間接光発光部３０ａ（３０ｂ）と、直接光発光部４０と、制御部５０とが設けられる。具体的には、直接光発光部４０および制御部５０は、器具本体の下面側に設けられ、間接光発光部３０ａおよび３０ｂは、器具本体の上面側に設けられる。また、器具本体２０の上面側の中央部分には、取付金具（図示せず）が設けられ、取付金具は、天井面に設けられた引掛シーリングに接続される。
【００３２】
器具本体２０の上面側には、カバー３１およびフレーム３２が設けられ、器具本体２０は、カバー３１、フレーム３２、およびグローブ６５とともに照明器具１０の外郭筐体を構成する。なお、カバー３１およびフレーム３２は、器具本体２０と一体形成されてもよい。すなわち、カバー３１およびフレーム３２は、器具本体２０に含まれてもよく、必須の構成要素ではない。
【００３３】
直接光発光部４０は、基板４１上に複数のＬＥＤ４２が設けられた発光モジュール（光源）である。照明器具１０では、器具本体２０の下面（上面の反対側の面）に４つの直接光発光部４０が設けられる。実施の形態１では、直接光発光部４０が発する光はＪＩＳ  Ｚ  ９１１２で定められる昼白色であり、直接光発光部４０が発する光の色温度は、５０００Ｋ程度であるが、直接光発光部４０が発する光は、昼光色〜電球色（色温度７１００Ｋ〜２６００Ｋ）であればよい。
【００３４】
基板４１は、ＬＥＤ４２を配置するための部分円弧状の基板であり、樹脂をベースとする樹脂基板、セラミックからなるセラミック基板、金属をベースとするメタルベース基板等が用いられる。
【００３５】
ＬＥＤ４２は、所定の直流電力により発光する半導体発光素子であって、所定の白色で発光するＬＥＤモジュールである。なお、ＬＥＤ４２の代わりに、有機ＥＬ素子（ＯＬＥＤ）または無機ＥＬ素子等のＬＥＤ以外の固体発光素子を用いて構成されたモジュールが用いられてもよい。なお、基板４１上に設けられる複数のＬＥＤ４２には、色温度が異なる複数のＬＥＤが含まれてもよい。これにより、照明器具１０は、直接光発光部４０が発する光の調色を行うことができる。
【００３６】
レンズ６０は、直接光発光部４０が発する光の配光角を拡大する円環状の光学部材である。レンズ６０は、直接光発光部４０に重なるように設けられ、例えば透光性の樹脂によって形成される。
【００３７】
グローブ６５は、グローブ６５の全体から光を均一に外部に取り出すために、材料の一部または全部に光拡散粒子が分散された半球状の光学部材である。グローブ６５は、例えば、透光性を有する乳白色の樹脂によって形成される。なお、グローブ６５は、中空である。
【００３８】
制御部５０は、器具本体２０の下面の中央部分に設けられ、リモートコントローラ７０から受信した無線信号に基づいて間接光発光部３０ａおよび３０ｂ、並びに直接光発光部４０の点灯または消灯を行う。また、制御部５０は、例えば、ＰＷＭ（Ｐｕｌｓｅ  Ｗｉｄｔｈ  Ｍｏｄｕｌａｔｉｏｎ）制御や、アナログ調光制御により間接光発光部３０ａおよび３０ｂ、並びに直接光発光部４０の調光（調光比の制御）を行う。制御部５０は、具体的には、マイクロコンピュータなどによって実現される。なお、調光比とは、発光部１０１の最大輝度に対する輝度の割合を意味する。例えば、制御部５０がＰＷＭ制御を行う場合には、調光比は、ＰＷＭ信号のデューティ比により定められる。
【００３９】
間接光発光部３０ａ（第１の間接光発光部）および間接光発光部３０ｂ（第２の間接光発光部）は、器具本体２０の上面に設けられた光源である。間接光発光部３０ａおよび３０ｂが発する光は、直接光発光部４０が発する光よりも色温度が低い。実施の形態１では、間接光発光部３０ａおよび３０ｂが発する光は、電球色よりも色温度が低いことが特徴である。具体的には、間接光発光部３０ａおよび３０ｂが発する光の色温度は、実施の形態１では、２０００Ｋ程度であるが、２５００Ｋ以下であればよい。
【００４０】
以下、間接光発光部３０ａおよび３０ｂの構成および配置について説明する。まず、間接光発光部３０ａおよび３０ｂの構成について説明する。図３は、間接光発光部３０ａの構成を示す図である。なお、間接光発光部３０ｂの構成については間接光発光部３０ａと同様であるため説明が省略される。
【００４１】
図３に示されるように、間接光発光部３０ａは、基板３４上に複数のＬＥＤ３３が設けられた発光モジュールと、取り付け具３５と、レンズ３６とを備える。
【００４２】
基板３４は、ＬＥＤを配置するための長方形の板状の基板であり、具体的には、樹脂基板、セラミック基板、メタルベース基板等である。
【００４３】
ＬＥＤ３３は、所定の直流電力により発光するＬＥＤモジュール（半導体発光素子）である。なお、ＬＥＤ３３の代わりに、有機ＥＬ素子（ＯＬＥＤ）または無機ＥＬ素子等のＬＥＤ以外の固体発光素子を用いて構成されたモジュールが用いられてもよい。
【００４４】
取り付け具３５は、間接光発光部３０ａを器具本体２０に取り付けるためのＬ字状の部材である。取り付け具３５は、基板３４の第１の主面（ＬＥＤ３３が実装された主面）が器具本体２０の上面に対してほぼ垂直となり、かつ、当該第１の主面が照明器具１０の外側を向くように間接光発光部３０ａを器具本体２０に固定する。これにより、ＬＥＤ３３が発する光は、照明器具１０の外側へ向けて出射される。
【００４５】
レンズ３６は、ＬＥＤ３３が発する光の配光角を拡大する光学部材である。レンズ３６は、例えば透光性の樹脂によって形成される。
【００４６】
次に、間接光発光部３０ａおよび３０ｂの配置について説明する。図４は、間接光発光部３０ａおよび３０ｂの配置を示す図である。なお、図４は、照明器具１０を上面（取り付け時に天井面と対向する面）側から見た図である。なお、図４では、天井面に垂直な方向をＺ方向とし、天井面と平行な平面上においてＸ方向とこれに垂直なＹ方向が定義されている。
【００４７】
図４に示されるように、器具本体２０の上面には、間接光発光部３０ａと、間接光発光部３０ｂとが図４中のＸ方向に並んで設けられている。間接光発光部３０ａは、図４中の＋Ｘ方向に光を発し、間接光発光部３０ｂは、図４中の−Ｘ方向に光を発する。なお、図４に示される間接光発光部３０ａおよび３０ｂの配置は一例であり、図４に示されるような配置に限定されるものではない。
【００４８】
実施の形態１では、照明器具１０は、間接光発光部３０ａおよび３０ｂが発する光のユーザ２００に与える影響がより良好なものとなるように取り付けられる。図５は、照明器具１０の取り付け位置を説明するための図である。なお、図５に示されるＸ、Ｙ、およびＺの各方向は、図４のＸ、Ｙ、およびＺの各方向にそれぞれ対応する。
【００４９】
図５に示されるように、照明器具１０は、間接光発光部３０ａがユーザ２００の頭部方向に位置し、間接光発光部３０ｂがユーザ２００の足下方向に位置するように寝室１３の天井面１１に取り付けられる。
【００５０】
ここで、間接光発光部３０ａは、ユーザ２００の頭部側の壁１４に向けて光を発する。間接光発光部３０ａが発した光は、壁１４において反射し、ユーザの枕元の空間１３ａに広がる。これにより、ユーザ２００の枕元の空間１３ａは、色温度の低い光に包まれる。
【００５１】
一方、間接光発光部３０ｂは、ユーザ２００の足下側の空間１３ｂに向けて光を発する。これにより、間接光発光部３０ｂが発した光は、横たわったユーザ２００の視線の先を照らし、寝室１３内の奥行感および広がり感を演出することができる。
【００５２】
次に、照明器具１０のシステム構成について説明する。図６は、照明器具１０のシステム構成を示すブロック図である。図６では、照明器具１０と合わせてリモートコントローラ７０が図示されている。
【００５３】
図６に示されるブロック図では、照明器具１０は、間接光発光部３０ａ（３０ｂ）と、直接光発光部４０と、制御部５０とを備える。また、リモートコントローラ７０は、就寝設定部８０と、起床設定部９０と、送信部１００とを備える。
【００５４】
照明器具１０（間接光発光部３０ａ（３０ｂ）、直接光発光部４０、および制御部５０）については、図２〜図５を用いて説明したものと同様である。
【００５５】
就寝設定部８０および起床設定部９０は、入力インターフェースであり、例えば、押しボタン式のスイッチや、タッチパネルなどである。
【００５６】
送信部１００は、いわゆる無線モジュールである。送信部１００は、例えば、無線制御部２１０は、ＷＰＡＮ（Ｗｉｒｅｌｅｓｓ  Ｐｅｒｓｏｎａｌ  Ａｒｅａ  Ｎｅｔｗｏｒｋ）の標準規格の一つであるＺｉｇＢｅｅ（登録商標）を用いて通信を行う。なお、送信部１００は、その他の通信方式を用いて通信を行ってもよい。
【００５７】
ユーザ２００が就寝設定部８０を介して就寝制御の指示を行った場合、送信部１００は、就寝制御の指示情報を設定情報を照明器具１０の制御部５０に無線送信する。この結果、照明器具１０は、ユーザ２００の就寝に用いられる就寝制御を行う。
【００５８】
一方、ユーザ２００が、リモートコントローラ７０の起床設定部９０から起床希望時刻を設定した場合、送信部１００は、設定情報を照明器具１０の制御部５０に無線送信する。この結果、照明器具１０は、ユーザ２００を起床させるための起床制御を行う。
【００５９】
次に、就寝制御および起床制御について詳細に説明する。図７は、就寝制御および起床制御の制御パターンを示す図である。図７では、縦軸は、直接光発光部４０の調光比および間接光発光部３０ａの調光比であり、横軸は、時間である。なお、同一の調光比で直接光発光部４０と、間接光発光部３０ａおよび３０ｂとをそれぞれ発光させた場合、間接光発光部３０ａおよび３０ｂのそれぞれが発する光の輝度（明るさ）は、直接光発光部４０が発する光の輝度（明るさ）の１０分の１以下である。
【００６０】
まず、就寝制御について上記図７と図８を参照しながら説明する。図８は、照明器具１０の就寝制御の動作のフローチャートである。
【００６１】
照明器具１０が直接光発光部４０を発光させて室内照明を行っている状態において、制御部５０は、リモートコントローラ７０からユーザ２００の就寝制御の指示を受け付ける（図８のＳ１０１）。制御部５０がユーザ２００の就寝制御の指示を受け付けたタイミングは、図７に示される指定時刻ｔ１である。
【００６２】
図７に示される指定時刻ｔ１において、制御部５０は、直接光発光部４０を消灯させ、間接光発光部３０ａおよび３０ｂを発光させる（図８のＳ１０２）。
【００６３】
間接光発光部３０ａおよび３０ｂによる光の照射は、図５を用いて説明した態様で行われ、現在時刻が図７に示される照射終了時刻ｔ２に達するまで一定の調光比で行われる（図８のＳ１０３でＮｏ）。つまり、指定時刻ｔ１から照射終了時刻ｔ２までの期間を第１期間とした場合、制御部５０は、第１期間において直接光発光部４０を消灯させた状態で間接光発光部３０ａおよび３０ｂを発光させる。
【００６４】
現在時刻が照射終了時刻ｔ２に達し、第１期間が終了した場合（図８のＳ１０３でＹｅｓ）、制御部５０は、直接光発光部４０を消灯させた状態でさらに間接光発光部３０ａおよび３０ｂを消灯させる（図８のＳ１０４）。つまり、制御部５０は、第１期間の直後（第１期間の終了と同時）において直接光発光部４０並びに間接光発光部３０ａおよび３０ｂを消灯させる。照射終了時刻ｔ２以降においては、直接光発光部４０並びに間接光発光部３０ａおよび３０ｂは、消灯したままである。
【００６５】
なお、照射終了時刻ｔ２よりも後の時間帯においては、制御部５０は、ユーザ２００の睡眠を妨げない程度に間接光発光部３０ａおよび３０ｂを発光させてもよい。つまり、制御部５０は、第１期間の直後に直接光発光部４０を消灯させた状態で間接光発光部３０ａおよび３０ｂが発する光の輝度（明るさ）を第１期間内の輝度よりも低下させてもよい。また、照明器具１０が、直接光発光部４０並びに間接光発光部３０ａおよび３０ｂ以外に、いわゆる常夜灯を備えるような場合、制御部５０は、照射終了時刻ｔ２よりも後の時間帯において常夜灯を点灯させてもよい。
【００６６】
以上説明したような就寝制御では、電球色よりも色温度が低い光のみが照射される期間が設けられることが特徴である。
【００６７】
ユーザ２００を心地よく眠らせるためには、光の照射によるメラトニン分泌の抑制を低減することが効果的であることが知られている。例えば、特許文献２には、光フィルタを用いてメラトニン分泌の抑制を低減する技術が開示されている。
【００６８】
ここで、ユーザ２００の就寝前の時間帯に電球色よりも色温度が低い光のみが照射される期間を設けた就寝制御を行うことで、ユーザ２００のメラトニン分泌の抑制を低減する効果が得られることが実験的に確かめられている。具体的には、照明器具１０によれば、特許文献２に記載の技術と同等以上にメラトニン分泌の抑制を低減する効果が得られることが確かめられている。
【００６９】
また、就寝制御に色温度の低い光を用いることは、ユーザ２００に心理的によい影響を与えることが実験により確かめられている。
【００７０】
図９は、照明器具１０が発する光のユーザ２００への心理的影響を説明するための図である。図９では、図５に示されるような状態において、電球色の光を発した場合の実験結果と、間接光発光部３０ａおよび３０ｂを用いて電球色よりも色温度が低い光を発した場合の実験結果とが示されている。
【００７１】
図９の（ａ）は、頭部側の空間に照射される光により、安心感（やわらかい印象）を感じた被験者の割合を示す図である。図９の（ａ）に示されるように、間接光発光部３０ａを用いて電球色よりも色温度が低い光を発した場合のほうが、電球色の光を発した場合よりも安心感を感じた被験者の割合は多い。
【００７２】
一方、図９の（ｂ）は、足下側の空間に照射される光により、奥行き感または広がり感を感じた被験者の割合を示す図である。図９の（ｂ）に示されるように、間接光発光部３０ｂを用いて電球色よりも色温度が低い光を発した場合のほうが、電球色の光を発した場合よりも奥行き感または広がり感を感じた被験者の割合は多い。
【００７３】
以上説明したように、照明器具１０の就寝制御は、ユーザ２００のメラトニン分泌の抑制を低減し、なおかつ、ユーザ２００に心理的に良い影響を与えることができる。
【００７４】
次に、起床制御について、上記図７と、図１０とを用いて説明する。図１０は、照明器具１０の起床制御の動作のフローチャートである。
【００７５】
制御部５０は、リモートコントローラ７０からユーザ２００の起床希望時刻の設定を受け付ける（図１０のＳ２０１）。起床希望時刻は、具体的には、図７に示される時刻ｔ４である。
【００７６】
続いて制御部５０は、現在時刻が照射開始時刻であるか否かを判断する（図１０のＳ２０２）。照射開始時刻は、具体的には、図７に示される時刻ｔ３である。
【００７７】
現在時刻が照射開始時刻ｔ３である場合（図１０のＳ２０２でＹｅｓ）、制御部５０は、直接光発光部４０を発光させる（図１０のＳ２０３）。起床制御としての直接光発光部４０の発光は、起床希望時刻ｔ４まで行われる。つまり、照射開始時刻ｔ３から起床希望時刻ｔ４までの期間を第２期間とした場合、制御部５０は、当該第２期間に少なくとも直接光発光部４０を発光させる。なお、現在時刻が照射開始時刻であるかの判断は、リモートコントローラー７０側で行われてもよい。この場合、制御部５０は、照射開始時刻ｔ３にリモートコントローラーから起床制御開始の設定を受け付け、制御を開始する。
【００７８】
実施の形態１では、制御部５０は、照射開始時刻ｔ３から起床希望時刻ｔ４まで直接光発光部４０の調光比を増加させ、起床希望時刻ｔ４以降も直接光発光部４０を継続して発光させる。なお、図７では、起床希望時刻ｔ４における直接光発光部４０の調光比は、１００％であるが、必ずしも１００％である必要はない。また、照射開始時刻ｔ３付近（調光比が低い時間帯）では、制御部５０は、調光比を一定にして直接光発光部４０を発光させる場合もある。
【００７９】
以上説明したような起床制御により、ユーザ２００は、快適に起床することができる。
【００８０】
以上、本発明の実施の形態１について説明した。実施の形態１に係る照明器具１０によれば、ユーザ２００を希望時刻に快適に起床させるだけでなく、ユーザ２００を心地よく眠らせることができる。
【００８１】
（実施の形態２）
照明器具１０の就寝制御における間接光発光部３０ａおよび３０ｂの調光比の制御パターンは、実施の形態１で説明したものに限定されるものではない。また、照明器具１０の起床制御における直接光発光部４０の調光比の制御パターンは、実施の形態１で説明したものに限定されるものではない。実施の形態２では、就寝制御および起床制御のそれぞれについて、実施の形態１とは異なる制御パターンについて説明する。
【００８２】
まず、就寝制御における実施の形態１とは異なる制御パターンについて説明する。実施の形態１では、指定時刻ｔ１から照射終了時刻ｔ２までの期間（第１期間）においては、制御部５０は、間接光発光部３０ａおよび３０ｂを一定の調光比で発光させた。しかしながら、制御部５０は、第１期間において調光比を変動させてもよい。
【００８３】
図１１は、就寝制御における制御パターンの別の例を示す図である。図１１に示される制御パターンでは、制御部５０は、指定時刻ｔ１から所定の期間は、調光比を一定（１００％）にして間接光発光部３０ａおよび３０ｂを発光させる。そして、所定の期間経過後、照射終了時刻ｔ２までの期間においては、制御部５０は、間接光発光部３０ａおよび３０ｂの調光比を単調に減少させる。すなわち、図１１に示される制御パターンでは、第１期間内の任意の時刻における間接光発光部３０ａおよび３０ｂの調光比は、第１期間内の当該任意の時刻よりも後の時刻における間接光発光部３０ａおよび３０ｂの調光比以上である。
【００８４】
図１１に示されるような制御パターンであっても、ユーザ２００を心地よく眠らせることができる。なお、就寝制御では、指定時刻ｔ１から照射終了時刻ｔ２までの所定期間において直接光発光部４０を消灯させた状態で間接光発光部３０ａおよび３０ｂが発光していればよい。この条件を満たすのであれば、就寝制御において直接光発光部４０が発光している期間が設けられてもよい。
【００８５】
また、制御部５０は、通常、指定時刻ｔ１よりも前には直接光発光部４０のみを発光させるが、図１２に示されるように、指定時刻ｔ１よりも前に間接光発光部３０ａおよび３０ｂを発光させてもよい。
【００８６】
また、制御部５０は、図１３に示されるように、指定時刻ｔ１から照射終了時刻ｔ２までの期間において間接光発光部３０ａおよび３０ｂの調光比を単調に減少させてもよい。
【００８７】
次に、起床制御における実施の形態１とは異なる制御パターンについて説明する。実施の形態１では、照射開始時刻ｔ３から起床希望時刻ｔ４までの期間（第２期間）においては、制御部５０は、直接光発光部４０のみを発光させた。しかしながら、制御部５０は、第２期間においてさらに間接光発光部３０ａおよび３０ｂを発光させてもよい。
【００８８】
図１３は、起床制御における制御パターンの別の例を示す第１の図である。図１３に示される制御パターンでは、制御部５０は、照射開始時刻ｔ３から所定の期間は、間接光発光部３０ａおよび３０ｂの調光比を増加させる。そして、所定の期間経過後、起床希望時刻ｔ４までの期間においては、制御部５０は、間接光発光部３０ａおよび３０ｂの調光比を単調に減少させる。なお、制御部５０の直接光発光部４０の調光比の制御については、実施の形態１と同様である。
【００８９】
また、制御部５０は、直接光発光部４０の発光開始前に間接光発光部３０ａおよび３０ｂを発光させてもよい。図１４は、起床制御における制御パターンの別の例を示す第２の図である。
【００９０】
図１４に示される制御パターンでは、制御部５０は、時刻ｔ５から照射開始時刻ｔ３までは、間接光発光部３０ａおよび３０ｂの調光比を増加させる。つまり、制御部５０は、時刻ｔ５から照射開始時刻ｔ３までの期間である第３の期間に間接光発光部３０ａおよび３０ｂを発光させる。ここで、第３期間は、第２期間の直前の所定期間である。
【００９１】
そして、制御部５０は、照射開始時刻ｔ３において直接光発光部４０の発光を開始する。制御部５０は、照射開始時刻ｔ３から起床希望時刻ｔ４までの期間は、直接光発光部４０の調光比を増加させる。すなわち、図１４の制御パターンでは、第２期間内の任意の時刻における直接光発光部４０の調光比は、第２期間内の当該任意の時刻よりも後の時刻における直接光発光部４０の調光比以下である。
【００９２】
実施の形態１で説明したように、間接光発光部３０ａおよび３０ｂが発する光の照度（輝度）は、直接光発光部４０が発する光の照度（輝度）よりも小さい。このため、図１４に示されるような制御パターンによれば、より低い照度から起床制御を開始することが可能となり、ユーザをさらに快適に起床させることが可能となる。また、このような制御は、直接光発光部４０の調光が、調光比０％付近の領域においてスムーズに行えないような場合にも有効である。
【００９３】
なお、図１４に示される制御パターンでは、制御部５０は、照射開始時刻ｔ３以降（直接光発光部４０の発光開始後）も、間接光発光部３０ａおよび３０ｂの発光を継続させている。しかしながら、制御部５０は、照射開始時刻ｔ３以降の期間において、間接光発光部３０ａおよび３０ｂの調光比を単調に減少させてもよい。また、制御部５０は、照射開始時刻ｔ３において間接光発光部３０ａおよび３０ｂを消灯させてもよい。
【００９４】
（その他の実施の形態）
以上、本発明の実施の形態について説明したが、本発明は上記の実施の形態に限定されるものではない。
【００９５】
上記実施の形態では、第１期間の長さおよび第２期間の長さは固定されていたが、第１期間の長さおよび第２期間の長さをユーザ２００が変更できる構成であってもよい。この場合、ユーザ２００は、例えば、リモートコントローラ７０の就寝設定部８０を通じて第１期間の長さを設定し、起床設定部９０を通じて第２期間の長さを設定する。
【００９６】
また、ユーザ２００が第１期間の長さを設定し、制御部５０が設定された第１期間の長さに応じて第２期間の長さを変更してもよい。具体的には、制御部５０は、第１期間の長さを変更して就寝制御を実行し、第１期間が長いほど、第２期間を長い期間に変更して起床制御を実行してもよい。
【００９７】
この場合、まず、制御部５０は、第１期間をユーザ２００が就寝設定部８０を通じて設定した長さに変更し、就寝制御を実行する。ここで、起床制御における第２期間の長さは、その直前に行われた就寝制御における第１期間の長さに応じて決定される。具体的には、制御部５０は、就寝制御の第１期間の長さが長いほど、その次に（直後に）行われる起床制御の第２期間を長い期間に変更する。
【００９８】
就寝制御においては第１期間が長いほど、すなわち、間接光発光部３０ａおよび３０ｂの発光時間が長いほど、上述のメラトニン分泌は抑制されず、ユーザ２００は深い眠りにつくものと考えられる。一方で、起床制御においては第２期間が長いほど、すなわち、直接光発光部４０の発光時間が長いほど、ユーザ２００が起床する確率は高まる。
【００９９】
よって、就寝制御の第１期間の長さが長いほど、その次に行われる起床制御の第２期間の長さを長くすることによって、ユーザ２００を起床させやすくなる。
【０１００】
なお、第２期間の長さは、例えば就寝制御が行われる時間帯に応じて変更されてもよい。具体的には、就寝制御が行われた時間帯が所定の時間帯よりも遅い時間帯である場合は、ユーザ２００の睡眠時間が短いと考えられる。制御部５０は、第２期間を短い期間に変更する。一方、就寝制御が行われた時間帯が所定の時間帯よりも早い時間帯である場合は、ユーザ２００の睡眠時間は長いと考えられる。したがって、制御部５０は、第２期間を長い期間に変更する。
【０１０１】
また、第２期間の長さは、その前日に就寝制御が実行されたか否かによって変更されてもよい。前日に就寝制御が行われた場合、上述のメラトニン分泌は抑制されず、ユーザ２００は深い眠りにつくものと考えられる。したがってこの場合、制御部５０は、第２期間を長い期間に変更する。一方、前日に就寝制御が行われていない場合、メラトニン分泌が抑制され、ユーザ２００の眠りは浅いと考えられる。したがってこの場合、制御部５０は、第２期間を短い期間に変更する。
【０１０２】
また、上記実施の形態では、照明器具１０は、間接光発光部を２つ備えるものとして説明されたが、照明器具１０は、少なくとも１つ間接光発光部を備えればよい。また、照明器具１０は、３つ以上の間接光発光部を備えてもよい。また、間接光発光部の配置についても上記実施の形態に限定されるものではない。
【０１０３】
上記実施の形態では、制御部５０は、直接光発光部４０並びに間接光発光部３０ａおよび３０ｂの調光比を連続的に変化させているが、制御部５０は、直接光発光部４０並びに間接光発光部３０ａおよび３０ｂの調光比を段階的に（階段状に）変化させてもよい。
【０１０４】
また、本発明は、シーリングライト以外の照明器具として実現されてもよい。本発明は、例えば、ベースライト、ダウンライト、スポットライトとして実現されてもよい。
【０１０５】
なお、上記実施の形態では、照明器具１０は、天井面に取り付けられたが、壁面などその他の構造物の面（設置面）に取り付けられてもよい。
【０１０６】
上記実施の形態において、リモートコントローラ７０に代えて、スマートフォンやタブレット端末などの情報通信端末が用いられてもよい。この場合、本発明は、照明器具１０と、情報通信端末とを備える照明システムとして実現されてもよい。
【０１０７】
また、本発明は、照明器具１０が行う照明方法として実現されてもよい。
【０１０８】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１０９】
なお、本発明の包括的または具体的な態様は、システム、方法、集積回路、コンピュータプログラムまたはコンピュータ読み取り可能なＣＤ−ＲＯＭなどの記録媒体で実現されてもよい。また、本発明の包括的または具体的な態様は、システム、方法、集積回路、コンピュータプログラムおよび記録媒体の任意な組み合わせで実現されてもよい。
【０１１０】
以上、一つまたは複数の態様に係る照明器具について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１１１】
１０  照明器具
１１  天井面
１３  寝室
１３ａ、１３ｂ  空間
１４  壁
２０  器具本体
３０ａ、３０ｂ  間接光発光部
３１  カバー
３２  フレーム
３３、４２  ＬＥＤ
３４、４１  基板
３５  取り付け具
３６、６０  レンズ
４０  直接光発光部
５０  制御部
６５  グローブ
７０  リモートコントローラ
８０  就寝設定部
９０  起床設定部
１００  送信部
２００  ユーザ
ｔ１  指定時刻
ｔ２  消灯時刻
ｔ３  照射開始時刻
ｔ４  起床希望時刻
ｔ５  時刻
【図１】
2015041612.tif 000003
【図２】
2015041612.tif 000004
【図３】
2015041612.tif 000005
【図４】
2015041612.tif 000006
【図５】
2015041612.tif 000007
【図６】
2015041612.tif 000008
【図７】
2015041612.tif 000009
【図８】
2015041612.tif 000010
【図９】
2015041612.tif 000011
【図１０】
2015041612.tif 000012
【図１１】
2015041612.tif 000013
【図１２】
2015041612.tif 000014
【図１３】
2015041612.tif 000015
【図１４】
2015041612.tif 000016